(57)【要約】【課題】十分に多数の発光ダイオード用の配線をコンパクトに収納可能であり、かつ発光ダイオードからの熱を外部に効率良く放出可能なバックライトアセンブリを提供する。【解決手段】バックカバーではカバー部材が金属層を含む。カバー部材の底部と側部とはＬ字形状に接続されている。配線部は好ましくはそのＬ字形状の内面全体に形成され、同じ内面に実装された複数の点光源に接続されている。各点光源は配線部を通して駆動電力を受ける。カバー部材の底部は、収納容器に形成された開口部を塞ぎ、カバー部材の側部は収納容器の側壁に対向して配置されている。点光源は導光板の側面に沿って配置され、それに向けて光を出射する。【選択図】図４
2008084860.tif 000002
【特許請求の範囲】
【請求項１】
断面がＬ字形状であり、金属層を含むカバー部材、
前記カバー部材の上部に形成された配線部、及び、
前記カバー部材の上部に実装され、前記配線部を通して外部から駆動電力を受ける複数の点光源、
を含むバックカバーであり、
前記配線部は、
前記金属層の上に形成された絶縁層、及び、
前記絶縁層によって前記金属層から絶縁され、前記複数の点光源のそれぞれに前記駆動電力を伝達する入力配線、
を含む、バックカバー。
【請求項２】
前記配線部は、
前記絶縁層によって前記金属層から絶縁され、前記複数の点光源のそれぞれから出力されるフィードバック信号を外部に伝達するグラウンド配線、
を更に含む、請求項１に記載のバックカバー。
【請求項３】
底板と、前記底板の一辺から延びている側壁とを含む収納容器であり、前記底板には前記側壁に沿って開口部が形成されている収納容器、
前記底板の上に重ねて配置された導光板、並びに、
前記底板の一辺に沿って配置されたバックカバー、
を含むバックライトアセンブリであり、
前記バックカバーは、
前記底板の開口部を塞いで前記導光板の一部を支持する底部、及び、前記底部のエッジから延びて前記側壁に対向している側部、を含むカバー部材、
前記カバー部材に実装されて前記導光板の側面に対向している複数の点光源、並びに、
前記カバー部材の上部に形成され、前記複数の点光源に外部から駆動電力を伝達する配線部、
を含む、バックライトアセンブリ。
【請求項４】
前記複数の点光源は前記底部に実装されている、請求項３に記載のバックライトアセンブリ。
【請求項５】
前記側部は前記側壁の外面に対向している、請求項４に記載のバックライトアセンブリ。
【請求項６】
前記側壁の内面に溝が形成され、前記複数の点光源がそれぞれ、前記溝に挿入されている、請求項５に記載のバックライトアセンブリ。
【請求項７】
前記複数の点光源は前記側部に実装されている、請求項３に記載のバックライトアセンブリ。
【請求項８】
前記側部は前記側壁の内面に対向している、請求項７に記載のバックライトアセンブリ。
【請求項９】
前記側部は前記側壁の外側に対向し、
前記側壁に貫通穴が形成され、前記複数の点光源がそれぞれ、前記貫通穴に挿入されている、
請求項７に記載のバックライトアセンブリ。
【請求項１０】
前記底部及び前記側部は金属層を含む、請求項３に記載のバックライトアセンブリ。
【請求項１１】
前記配線部は、
前記金属層の上に形成された絶縁層、
前記絶縁層によって前記金属層から絶縁され、前記複数の点光源のそれぞれに前記駆動電力を伝達する入力配線、及び、
前記絶縁層によって前記金属層から絶縁され、前記複数の点光源のそれぞれから出力されるフィードバック信号を外部に伝達するグラウンド配線、
を含む、請求項３に記載のバックライトアセンブリ。
【請求項１２】
前記入力配線の一部又は前記グラウンド配線の一部は前記底部に形成され、残りは前記側部に形成されている、請求項１１に記載のバックライトアセンブリ。
【請求項１３】
前記複数の点光源はそれぞれ、
赤色光を出射する赤色発光チップ、
緑色光を出射する緑色発光チップ、及び、
青色光を出射する青色発光チップ、
を含む、請求項１１に記載のバックライトアセンブリ。
【請求項１４】
前記赤色発光チップ、前記緑色発光チップ、及び前記青色発光チップはそれぞれ、前記入力配線及び前記グラウンド配線に接続されている、請求項１３に記載のバックライトアセンブリ。
【請求項１５】
前記赤色発光チップ、前記緑色発光チップ、及び前記青色発光チップは前記複数の点光源のそれぞれに一体的にパッケージングされ、
前記複数の点光源は複数の群に分けられ、群別に制御される、
請求項１４に記載のバックライトアセンブリ。
【請求項１６】
前記導光板と前記底部との間に配置された反射シート、を更に含む、請求項３に記載のバックライトアセンブリ。
【請求項１７】
底板と、前記底板の一辺から延びている側壁とを含む収納容器であり、前記底板には前記側壁に沿って開口部が形成されている収納容器、
前記底板の上に重ねて配置された導光板、
前記導光板の上に重ねて配置された光学シート、
前記光学シートの上に重ねて配置された表示パネル、並びに、
前記底板の一辺に沿って配置されたバックカバー、
を含む表示装置であり、
前記バックカバーは、
前記底板の開口部を塞いで前記導光板の一部を支持する底部、及び前記底部のエッジから延びて前記側壁に対向している側部、を含むカバー部材、
前記カバー部材に実装されて前記導光板の側面に対向している複数の点光源、並びに、
前記カバー部材の上部に形成され、前記複数の点光源に外部から駆動電力を伝達する配線部、
を含む、表示装置。
【請求項１８】
前記底部及び前記側部は、
前記複数の点光源から発生した熱を前記表示装置の外部に放出する金属層、及び、
前記金属層の上に形成された絶縁層、
を含む、請求項１７に記載の表示装置。
【請求項１９】
前記配線部は、
前記絶縁層によって前記金属層から絶縁され、前記複数の点光源のそれぞれに前記駆動電力を伝達する入力配線、及び、
前記絶縁層によって前記金属層から絶縁され、前記複数の点光源から出力されるフィードバック信号を外部に伝達するグラウンド配線、
を含む、請求項１８に記載の表示装置。
【請求項２０】
前記表示パネルに対して信号を印加し、前記配線部を通して前記フィードバック信号を受信し、前記フィードバック信号に応じて前記駆動電力を制御するパネル駆動部、を更に含む、請求項１９に記載の表示装置。
【発明の詳細な説明】
【技術分野】
【０００１】
本発明は、表示装置に関し、特に、それに搭載されるバックライトアセンブリ、更にそのバックカバーに関する。
【背景技術】
【０００２】
一般的に、液晶表示装置はバックライトアセンブリを含む。バックライトアセンブリが表示パネルに光を提供することにより、外部光量が不足するところでも液晶表示装置は画像を良好に表示できる。
近年、移動通信端末機やデジタルカメラのようなモバイル機器に搭載される中小型の液晶表示装置では、バックライトアセンブリの光源として主に発光ダイオードが利用される。特にノート型パソコンに搭載される液晶表示装置では、バックライトアセンブリの更なる薄型化や軽量化を目的として、バックライトアセンブリの光源として、従来の冷陰極蛍光ランプ（Cold Cathode Fluorescent lamp；ＣＣＦＬ）に代え、発光ダイオードを採用する趨勢にある。
【０００３】
直下型のバックライトアセンブリでは、発光ダイオードは表示パネルの背面に配置されている。エッジ型のバックライトアセンブリでは、表示パネルの背面には導光板が配置され、発光ダイオードはその導光板の側面に配置されている。発光ダイオードは通常複数であり、柔軟性樹脂フィルムに配線をプリントした可撓性印刷回路基板（ＦＰＣ）に配列されている。
【特許文献１】韓国特許出願公開第１０−２００６−００６８３０５号明細書
【発明の開示】
【発明が解決しようとする課題】
【０００４】
バックライトアセンブリでは通常、複数の発光ダイオードをいくつの群に分け、各群を別々に制御して全体の輝度を均一にする。そのような制御を実現するために、可撓性印刷回路基板には入力配線及びフィードバック配線が複数ずつ形成され、各配線が各発光ダイオードに個別に接続されている。したがって、発光ダイオードの数が増加するほど配線の数が増加するので、可撓性印刷回路基板の幅が増加する。これは表示装置の更なる小型化を困難にする。
【０００５】
特にノート型パソコンに搭載される表示装置では、バックライトアセンブリに白色発光ダイオードが利用される。白色発光ダイオードは一般に、赤色、緑色、及び青色発光ダイオードのいずれよりも輝度は優れているが、色再現性は劣っている。それ故、表示装置の更なる高画質化には、白色発光ダイオードに代え、赤色、緑色、及び青色発光ダイオードの組み合わせを用いることが望ましい。しかし、その場合、赤色、緑色、及び青色発光ダイオードのそれぞれに入力配線及びグラウンド配線を接続しなければならない。したがって、配線の数が更に増加するので、可撓性印刷回路基板の幅を更に増加させなければならない。こうして、表示装置の更なる小型化が更に困難である。
【０００６】
高輝度の発光ダイオードを複数アレイ接続したものを同じパッケージに収めて用いる場合は更に、各発光ダイオードから発生する熱が可撓性印刷回路基板内に蓄積されるので、発光ダイオードが過熱によって劣化しやすく、その寿命を更に延ばすことが困難である。
【０００７】
本発明の目的は、十分に多数の発光ダイオード用の配線をコンパクトに収納可能であり、かつ発光ダイオードからの熱を外部に効率良く放出可能なバックライトアセンブリを提供することにある。
【課題を解決するための手段】
【０００８】
本発明によるバックカバーは好ましくは、カバー部材、配線部、及び複数の点光源を含む。カバー部材は断面がＬ字形状であり、金属層を含む。配線部はカバー部材の上部に形成されている。好ましくは、配線部はカバー部材の上部の全体に拡がっている。複数の点光源はカバー部材の上部に実装され、配線部を通して外部から駆動電力を受ける。
【０００９】
配線部は好ましくは、絶縁層、入力配線、及びグラウンド配線を含む。絶縁層は金属層の上に形成されている。入力配線は絶縁層によって金属層から絶縁され、各点光源に駆動電力を伝達する。グラウンド配線は絶縁層によって金属層から絶縁され、各点光源から出力されるフィードバック信号を外部に伝達する。
【００１０】
本発明によるバックライトアセンブリは好ましくは、収納容器、導光板、及び上記のバックカバーを含む。収納容器は好ましくは底板と側壁とを含む。側壁は底板の一辺から延びている。底板には側壁に沿って開口部が形成されている。導光板は底板の上に重ねて配置されている。バックカバーは底板の上記の一辺に沿って配置されている。好ましくは、カバー部材の底部は底板の上記の開口部を塞いで導光板の一部を支持する。カバー部材の側部は収納容器の側壁に対向している。複数の点光源は導光板の側面に対向している。
【００１１】
本発明の一つの観点によるバックライトアセンブリでは好ましくは、複数の点光源はカバー部材の底部に実装され、カバー部材の側部は収納容器の側壁の外面に対向している。更に好ましくは、その側壁の内面には溝が形成され、各点光源がその溝に挿入されている。
【００１２】
本発明の他の観点によるバックライトアセンブリでは好ましくは、複数の点光源はカバー部材の側部に実装されている。更に好ましくは、その側部は収納容器の側壁の内面に対向している。その他に、カバー部材の側部は収納容器の側壁の外面に対向していても良い。その場合、その側壁には貫通穴が形成され、各点光源がその貫通穴に挿入されている。
【００１３】
好ましくは、カバー部材の金属層は底部及び側部に含まれている。配線部は好ましくは、その金属層の上に、絶縁層、入力配線、及びグラウンド配線を含む。更に好ましくは、入力配線の一部又はグラウンド配線の一部は底部に形成され、残りは側部に形成されている。
【発明の効果】
【００１４】
本発明による上記のバックカバーではカバー部材の断面がＬ字形状である。それにより、配線部を形成可能なカバー部材の表面領域が広い。したがって、点光源が多数でも配線部を十分コンパクトにパターニングできるので、バックライトアセンブリの更なる小型化が容易である。
更に、カバー部材は外部に露出しているので、その金属層を通し、点光源から外部に多量の熱が効率良く放出される。したがって、点光源が多数でもそれらが過熱されないので、それらの更なる長寿命化が容易である。その結果、バックライトアセンブリの信頼性を更に向上できる。
【００１５】
本発明によるバックカバーとしては好ましくは、点光源が実装されたメタルコア印刷回路基板（ＭＣＰＣＢ）が利用される。それにより、バックカバーが点光源用の配線部としても機能するので、バックライトアセンブリ及び表示装置の部品の総数及びサイズが削減可能である。
【発明を実施するための最良の形態】
【００１６】
以下、添付の図面を参照しながら、本発明の望ましい実施例を詳細に説明する。
バックカバー
図１は本発明の一実施例によるバックカバーの斜視図である。バックカバーは、表示装置の背面に形成された開口部を塞ぐのに用いられる。図１に示されているように、バックカバー５０は好ましくは、カバー部材５１、配線部５４、及び複数の点光源６０を含む。
【００１７】
カバー部材５１は底部５２及び側部５３を含む。底部５２は、一方向に長いプレート形状である。側部５３は、底部５２の一方の長辺（以下、第１エッジという）から底部５２の表面に対してほぼ垂直に延びている。その結果、カバー部材５１は、底部５２の長手方向に対して垂直な断面がＬ字形状である。カバー部材５１は好ましくは金属層を含む。その金属層は好ましくは、カバー部材５１の内部で底部５２及び側部５３の全体に連続して拡がり、カバー部材５１のコアとして機能している。したがって、金属層の断面はカバー部材５１の断面と同様なＬ字形状である。その他に、カバー部材５１の全体が金属で形成されていても良い。
【００１８】
点光源６０は好ましくは、底部５２の上で底部５２の長手方向に沿って一列に配置されている。その他に、点光源６０は側部５３の上に実装されていても良い。
【００１９】
配線部５４はカバー部材５１の上部に形成されている。ここで、側部５３が延びている側に位置するカバー部材５１の部分をカバー部材５１の上部と定義している。配線部５４は好ましくは、底部５２の上面、及び、底部５２の上面に接している側部５３の表面に形成されている。配線部５４は好ましくは、絶縁層５５、入力配線５６、及びグラウンド配線５７を含む。
【００２０】
図２は、図１に示されている直線Ｉ−Ｉ’に沿ったバックカバー５０の断面図である。図２に示されているように、絶縁層５５は好ましくは、底部５２の上面に所定の厚さで形成されている。図２には示されていないが、底部５２の上面に接している側部５３の表面にも同様に、絶縁層５５が拡がっている。入力配線５６は底部５２の上面にパターニングされている。グラウンド配線５７は、底部５２の上面から、それに接している側部５３の表面にわたってパターニングされている。入力配線５６及びグラウンド配線５７はいずれも絶縁層５５によって金属層から絶縁されている。好ましくは、入力配線５６及びグラウンド配線５７は更に、絶縁層５５によって覆われている。すなわち、入力配線５６及びグラウンド配線５７は絶縁層５５の中に埋め込まれている。入力配線５６及びグラウンド配線５７は好ましくは、各点光源６０の両側に一本ずつ形成されている。入力配線５６は一本ずつ各点光源６０に接続され、外部から印加される駆動電力を各点光源６０に伝達する。グラウンド配線５７は一本ずつ各点光源６０から引き出され、各点光源６０から出力されるフィードバック信号、好ましくは電流信号を外部に伝達する。尚、入力配線５６及びグラウンド配線５７の各パターンは図１に示されているものの他にも、点光源６０の配置及び駆動方式に応じて変更可能である。
【００２１】
点光源６０は好ましくは白色発光ダイオードである。その他に、各点光源６０には、赤色発光チップ、緑色発光チップ、及び青色発光チップが一体的にパッケージングされていても良い。この場合、赤色発光チップ、緑色発光チップ、及び青色発光チップのそれぞれに、入力配線５６及びグラウンド配線５７が接続されている。すなわち、各点光源６０には入力配線５６及びグラウンド配線５７が三本ずつ接続されている。
【００２２】
図２に示されているように、点光源６０は好ましくは、ハウジング６１、発光チップ６２、第１接続端子６３、第２接続端子６４、蛍光層６５、及びレンズ６６を含む。ハウジング６１は底部５２の上面に固定されている。ハウジング６１の側面には溝が形成されている。発光チップ６２はハウジング６１のその溝の中に挿入されている。点光源６０が白色発光ダイオードである場合、発光チップ６２は好ましくは青色光をその溝から外部に出射する。その他に、発光チップ６２が、赤色発光チップ、緑色発光チップ、及び青色発光チップの組み合わせであっても良い。その場合、赤色発光チップ、緑色発光チップ、及び青色発光チップはそれぞれ、赤色光、緑色光、及び青色光を出射する。第１接続端子６３は入力配線５６と発光チップ６２との間を接続している。第２接続端子６４はグラウンド配線５７と発光チップ６２との間を接続している。蛍光層６５は、ハウジング６１の溝の中に露出している発光チップ６２の出射面を覆っている。点光源６０が白色発光ダイオードである場合、蛍光層６５は好ましくはイエロー蛍光体を含む。それにより、蛍光層６５は、発光チップ６２から入射される青色光を白色光に変換して出射する。尚、発光チップ６２が、赤色発光チップ、緑色発光チップ、及び青色発光チップの組み合わせである場合、蛍光層６５は省略可能である。レンズ６６はハウジング６１の溝の中で蛍光層６５の更に外側を覆い、蛍光層６５から出射される白色光を拡散して外部に放出する。
【００２３】
図１に示されているように、バックカバー５０は好ましくは、パッド部５９及び電力ケーブル５８を更に含む。パッド部５９は好ましくは、底部５２の第１エッジとは反対側の底部５２の長辺（以下、第２エッジという）に形成されている。入力配線５６及びグラウンド配線５７の各一端はパッド部５９に接続されている。尚、入力配線５６及びグラウンド配線５７の各パターンに応じてパッド部５９の位置は変更可能である。電力ケーブル５８はパッド部５９と外部の電力供給装置との間を接続している。
【００２４】
上記のとおり、バックカバー５０では、カバー部材５１と配線部５４とが印刷回路基板を形成し、点光源６０がその印刷回路基板の上に実装されている。このようなバックカバー５０は好ましくは、以下のように、表示装置のバックライトアセンブリの光源として用いられる。
【００２５】
バックライトアセンブリ
図３は、本発明の一実施例によるバックライトアセンブリの前面を示す斜視図である。図４は、図３に示されたバックライトアセンブリの分解斜視図である。図５は、図４に示された直線ＩＩ−ＩＩ’に沿ったバックライトアセンブリ２００の断面図である。図６は、図３に示されたバックライトアセンブリの背面を示す斜視図である。図３〜図６に示されているように、このバックライトアセンブリ２００は好ましくは、収納容器２１０、導光板２３０、反射シート２４０、及びバックカバー２５０を含む。
【００２６】
収納容器２１０は好ましくは、長方形状の底板２０５、第１側壁２１１、第２側壁２１３、第３側壁２１５、及び第４側壁２１７を含む。各側壁２１１、２１３、２１５、２１７は底板２０５の各辺から底板２０５の表面に対してほぼ垂直に延びている。第１側壁２１１及び第２側壁２１３は互いに対向し、第３側壁２１５及び第４側壁２１７は互いに対向している。図４に示されているように、底板２０５には第１開口部２０６及び第２開口部２０７が形成されている。第１開口部２０６は、第４側壁２１７の近傍で、その長手方向である第１方向に沿って細長く形成されている。第２開口部２０７は好ましくは長方形状であり、第１開口部２０６と第３側壁２１５との間で広い範囲に形成されている。第１側壁２１１、第２側壁２１３、第３側壁２１５、及び第４側壁２１７の各内側には好ましくはしきい部２１８、２１９が形成されている。好ましくは、第４側壁２１７に形成されたしきい部２１９の幅は、第１側壁２１１、第２側壁２１３、及び第３側壁２１５に形成されているしきい部２１８の幅より広い。図３及び図４には示されていないが、第４側壁２１７には好ましくは、しきい部２１９より後方（図４では下側）に位置する内面部分に溝が、第１開口部２０６と連通するように形成されている。
【００２７】
底板２０５の前面（図４では上面）には反射シート２４０及び導光板２３０がその順番で積層されている。反射シート２４０は好ましくは底板２０５より一回り小さい長方形状であり、第２開口部２０７の全体を覆い、更に第１開口部２０６の一部を覆っている。導光板２３０は好ましくは反射シート２４０と同じ長方形状である。図５に示されているように、反射シート２４０及び導光板２３０の一辺は、第４側壁２１７に形成された溝の中に挿入されている。導光板２３０は好ましくは、光透過率、耐熱性、耐化学薬品性、及び機械的強度に優れた導光体で構成されている。導光板２３０は側面から内部に入射した光を前面（図４では上面）全体に拡散させて前方（図４では上方）に出射する。反射シート２４０は導光板２３０の背面（図４では下面）から漏れた光を反射して導光板２３０の内部に戻す。
【００２８】
図５及び図６に示されているバックカバー２５０は、図１及び図２に示されたバックカバー５０と実質的に同一である。したがって、その実質的に同一の構成要素の詳細については上記の説明を援用する。
バックカバー２５０は好ましくは収納容器２１０の第４側壁２１７に沿って収納容器２１０に固定されている。特に、カバー部材２５１の底部２５２が底板２０５の第１開口部２０６を塞ぎ、側部２５３が第４側壁２１７の外面に対向している。バックカバー２５０は好ましくはネジまたは接着部材によって収納容器２１０に固定される。その他に、第４側壁２１７に形成された溝またはフックと、側部２５３に形成されたフックまたは溝とを嵌め合わせることで、バックカバー２５０と収納容器２１０との間を結合しても良い。
【００２９】
各点光源２６０は好ましくは、赤色発光チップ、緑色発光チップ、及び青色発光チップの組み合わせを含む。図５に示されているように、各点光源２６０は第１開口部２０６を通じて第４側壁２１７の内面の溝に挿入され、導光板２３０の側面と対向している。それにより、各点光源２６０から出射された赤色光、緑色光、及び青色光は導光板２３０の側面からその内部に進入する。それらの色光は導光板２３０の内部を伝搬する間に混色され、白色光になる。その結果、導光板２３０の前面からは白色光が出射される。
【００３０】
バックカバー２５０では、入力配線及びグラウンド配線が各点光源２６０の赤色発光チップ、緑色発光チップ、及び青色発光チップのそれぞれに接続されている。すなわち、各点光源２６０には入力配線とグラウンド配線とが三本ずつ接続されている。図１に示されているものと同様に、入力配線は底部２５２の上を延び、グラウンド配線は底部２５２及び側部２５３の上を延び、底部２５２の第２エッジに形成されたバッド部に接続されている。パッド部には電力ケーブル２５８が接続されている。図５及び図６に示されているように、電力ケーブル２５８は好ましくは、底板２０５に形成された傾斜面に沿って配置されている。
【００３１】
バックカバー２５０は、導光板２３０に光を供給する光源として機能すると共に、収納容器２１０の底板２０５に形成された第１開口部２０６を塞ぐためのカバーとして機能する。したがって、バックライトアセンブリ２００は従来のものより部品点数が少ない。
【００３２】
更に、バックカバー２５０ではカバー部材２５１がＬ字形状に湾曲しているので、底部２５２及び側部２５３の両方に配線部を形成できる。したがって、配線部を形成可能な領域が従来のものより広いので、バックライトアセンブリ２００を十分小型に維持したまま、使用可能な発光ダイオードの個数及び種類の選択幅を拡大できる。
【００３３】
その上、外部に露出したカバー部材２５１そのものが金属から成り、又は金属層を含んでいるので、各点光源２６０から発生した多量の熱が効率良く外部に放出される。
【００３４】
図７は、本発明の他の実施例によるバックライトアセンブリの断面図である。図７に示されているバックライトアセンブリ３００は、収納容器３１０、導光板３３０、反射シート３４０、及びバックカバー３５０を含む。このバックライトアセンブリ３００は、バックカバー３５０を除き、図３、図４、図５、及び図６に示されたバックライトアセンブリ２００と実質的に同一である。したがって、実質的に同一の構成要素の詳細については上記の説明を援用する。
【００３５】
バックカバー３５０は図３〜６に示されているもの２５０とは、まず、カバー部材３５１の側部３５３が収納容器３１０の第４側壁３１７の内側に対向している点で異なる。次に、入力配線及びグラウンド配線のパターンが異なる。更に、点光源３６０が側部３５３の上に実装されている点が異なる。点光源３６０は側部３５３の長手方向に沿って一列に配置されている。それにより、バックカバー３５０が収納容器３１０に固定された状態では、各点光源３６０は導光板３３０の側面と対向している。
【００３６】
尚、図７に示されている実施例では、点光源３６０が側部３５３に実装されているので、点光源３６０と側部３５３の先端（図７では上端）との間の領域が入力配線及びグラウンド配線のいずれを形成するのにも狭過ぎる場合があり得る。しかし、その場合は、入力配線及びグラウンド配線を両方とも点光源３６０と底部３５２との間の側部５３の領域に形成し、又は、入力配線若しくはグラウンド配線の一部だけを点光源３６０と側部３５３の先端（図７では上端）との間の領域に形成すれば良い。
【００３７】
図８は、本発明の更に他の実施例によるバックライトアセンブリの断面図である。図８に示されているバックライトアセンブリ４００は、収納容器４１０、導光板４３０、反射シート４４０、及びバックカバー４５０を含む。このバックライトアセンブリ４００は、収納容器４１０及びバックカバー４５０を除き、図３、図４、図５、及び図６に示されたバックライトアセンブリ２００と実質的に同一である。したがって、実質的に同一の構成要素の詳細については上記の説明を援用する。
【００３８】
収納容器４１０は、第４側壁４１７に貫通穴４１６が形成されている点で、図３、図４、図５、及び図６に示された収納容器２１０と異なる。バックカバー４５０は、点光源４６０が側部４５３の上に実装されている点で、図３〜６に示されたもの２５０とは異なる。点光源４６０は側部４５３の長手方向に沿って一列に配置されている。バックカバー４５０が収納容器４１０に固定された状態では、各点光源４６０は第４側壁４１７の貫通穴４１６に挿入され、導光板４３０の側面に対向している。
【００３９】
表示装置
図９は、本発明の一実施例による表示装置の前面を示す斜視図である。図１０は、図９に示された表示装置の分解斜視図である。図１１は、図１０に示された直線ＩＩＩ−ＩＩＩ’に沿った表示装置の断面図である。図１２は、図９に示された表示装置の背面を示された斜視図である。
【００４０】
図９〜１２に示されているように、表示装置６００は、収納容器６１０、バックカバー６５０、反射シート６４０、導光板６３０、光学シート６７０、及び表示パネル６８０を含む。収納容器６１０、バックカバー６５０、反射シート６４０、及び導光板６３０は、図３、図４、図５、及び図６に示された収納容器２１０、バックカバー２５０、反射シート２４０、及び導光板２３０と実質的に同一である。したがって、実質的に同一の構成要素の詳細については上記の説明を援用する。
【００４１】
図１０及び図１１に示されているように、光学シート６７０は好ましくは長方形状であり、導光板６３０の前（図１０及び図１１では上）に重ねて配置されている。光学シート６７０は好ましくは、収納容器６１０の各側壁６１１、６１３、６１５、６１７に形成されたしきい部６１８、６１９の内側に配置されている。光学シート６７０は、導光板６３０の前面から前方に出射された光の強度をその全体で均一にし、かつそれらの光の方向を前方に揃える。光学シート６７０は好ましくは拡散シート６７１及び二枚の集光シート６７３、６７５を含む。それらはその順番で導光板６３０の前面に積層されている。拡散シート６７１は、導光板６３０の前面から出射された光の強度をその全体で均一化させる。各集光シート６７３、６７５は透過光を、表面に平行な一方向で集光させる。二枚の集光シート６７３、６７５は好ましくは、集光方向が互いに直交するように配置されている。拡散シート６７１を透過した光は二枚の集光シート６７３、６７５をさらに透過することで、その進行方向が前方に揃う。こうして、光学シート６７０の前面全体で輝度が均一に向上する。
【００４２】
図１０及び図１１に示されているように、表示パネル６８０は好ましくは長方形状であり、光学シート６７０の前（図１０及び図１１では上）に重ねて配置されている。表示パネル６８０の周縁部は好ましくは、収納容器６１０のしきい部６１８、６１９の前面に配置されている。表示パネル６８０には複数の画素がマトリクス状に配置されている。各画素では個別に光透過率が調節可能である。表示パネル６８０は、光学シート６７０の前面から出射された光を画素ごとに異なる強度で透過させる。それにより、所望の画像を再現できる。
【００４３】
図１０及び図１１に示されているように、表示パネル６８０は第１基板６８１及び第２基板６８３を含む。第１基板６８１は好ましくは長方形状であり、第２基板６８３は好ましくは、第１基板６８１より一回り小さい長方形状である。第１基板６８１及び第２基板６８３はその順番で光学シート６７０の前面に重ねられている。図１０及び図１１に示されていないが、二枚の基板６８１、６８３の間には液晶層が挟まれている。第１基板６８１には複数の画素がマトリクス状に配列され、表示領域を構成している。各画素はスイッチング素子及び画素電極を含む。スイッチング素子は外部からのゲート信号に応じてオンオフし、外部からのデータ電圧を画素電極に伝達し、又は遮断する。第２基板６８３は第１基板６８１より小さいので、第１基板６８１の一辺では周縁部が第２基板６８３より外側にはみ出している。好ましくは、第２基板６８３には画素ごとにカラーフィルタが形成されている。更に、第１基板６８１に面した第２基板６８３の表面全体は共通電極で覆われている。各画素では画素電極と共通電極とが液晶層を隔てて対向している。画素電極に対してデータ電圧が印加され、共通電極に対して一定の電圧（共通電圧）が印加されるとき、両電極の間には電場が形成され、更にその電場の強さに応じ、液晶層を構成する液晶の配列が変化する。それにより、液晶層のその部分を透過する光の強度が変化する。その変化はデータ電圧と共通電圧との間の差で調節可能である。したがって、特にデータ電圧を画像データに合わせて画素ごとに変化させることで、表示パネル６８０の表示領域に所望の画像を表示できる。
【００４４】
表示パネル６８０は好ましくは、パネル駆動部６８５及び印刷回路フィルム６８７を更に含む。印刷回路フィルム６８７は好ましくは、第２基板６８３より外側にはみ出している第１基板６８１の周縁部とパネル駆動部６８５とに接着され、パネル駆動部６８５と第１基板６８１の各画素との間を電気的に接続している。パネル駆動部６８５は印刷回路フィルム６８７を通して各画素にデータ電圧及びゲート信号を出力する。
【００４５】
図１０、図１１、及び図１２に示されているように、パネル駆動部６８５は好ましくは接続ケーブル６８９を更に含む。好ましくは、パネル駆動部６８５には各点光源６６０から、バックカバー６５０のグラウンド配線、電力ケーブル６５８、及び接続ケーブル６８９を通してフィードバック信号が伝達される。パネル駆動部６８５はそのフィードバック信号に応じて電力制御信号を電力供給部に出力する。それにより、点光源６６０の駆動電力が適切に制御される。
【００４６】
図１０及び図１２に示されているように、パネル駆動部６８５は好ましくは、表示パネル６８０の一辺に沿って配置されている。表示パネル６８０のその一辺は好ましくは、収納容器６１０の第３側壁６１５に沿って配置されている。バックカバー６５０は収納容器６１０の第４側壁６１７に沿って配置されているので、パネル駆動６８５とは表示パネル６８０を隔てて反対側に位置する。表示パネル６８０を収納容器６１０の中に収めた状態では、印刷回路フィルム６８７は好ましくは、図１１及び図１２に示されたように、表示パネル６８０の周縁部を包むように湾曲し、パネル駆動部６８５は底板６０５の背面に配置されている。それにより、接続ケーブル６８９は電力ケーブル６５８に底板６０５の背面上で接続可能である。
【００４７】
図１０〜１２には示されていないが、表示装置６００は好ましくはボトムカバーを更に含む。ボトムカバーは収納容器６１０の底板６０５の外側に配置され、収納容器６１０、パネル駆動部６８５、バックカバー６５０、接続ケーブル６８９、及び電力ケーブル６５８を背後から覆っている。
【００４８】
図９〜１２に示されているように、表示装置６００は好ましくは、トップカバー６９０を更に含む。トップカバー６９０は好ましくはベゼル部６９１及び側壁部６９３を含む。ベゼル部６９１は表示パネル６８０の周縁部、すなわち非表示領域を覆い、側壁部６９３は、収納容器６１０の第１側壁６１１、第２側壁６１３、及び第３側壁６１５、並びにバックカバー６５０の側部６５３を覆っている。ベゼル部６９１の中央には開口部が設けられ、そこから表示パネル６８０の表示領域が露出している。
【００４９】
以上、本発明の望ましい実施例について詳細に説明した。しかし、本発明の実施形態は上記の実施例には限定されない。当業者であれば、本発明の思想と精神とを離脱することなく、上記の実施例を修正し、または変更できるであろう。したがって、それらの修正や変更も本発明の技術的範囲に属すると解されるべきである。
【図面の簡単な説明】
【００５０】
【図１】本発明の一実施例によるバックカバーの斜視図
【図２】図１に示された直線Ｉ−Ｉ’に沿ったバックカバーの断面図
【図３】本発明の一実施例によるバックライトアセンブリの前面を示す斜視図
【図４】図３に示されたバックライトアセンブリの分解斜視図
【図５】図４に示された直線ＩＩ−ＩＩ’に沿ったバックライトアセンブリの断面図
【図６】図３に示されたバックライトアセンブリの背面を示す斜視図
【図７】本発明の他の実施例によるバックライトアセンブリの断面図
【図８】本発明の更に他の実施例によるバックライトアセンブリの断面図
【図９】本発明の一実施例による表示装置の前面を示す斜視図
【図１０】図９に示された表示装置の分解斜視図
【図１１】図９に示された直線ＩＩＩ−ＩＩＩ’に沿った表示装置の断面図
【図１２】図９に示された表示装置の背面を示す斜視図
【符号の説明】
【００５１】
５０    バックカバー
５１    カバー部材
５２    底部
５３    側部
５４    配線部
５５    絶縁層
５６    入力配線
５７    グラウンド配線
５８    電力ケーブル
５９    パッド部
２００    バックライトアセンブリ
２１０    収納容器
２０６    第１開口部
２０７    第２開口部
２３０    導光板
２４０    反射シート
２５０    バックカバー
６００    表示装置
６７０    光学シート
６８０    表示パネル
６８５    パネル駆動部
６８９    接続ケーブル
６９０    トップカバー
【図１】
2008084860.tif 000003
【図２】
2008084860.tif 000004
【図３】
2008084860.tif 000005
【図４】
2008084860.tif 000006
【図５】
2008084860.tif 000007
【図６】
2008084860.tif 000008
【図７】
2008084860.tif 000009
【図８】
2008084860.tif 000010
【図９】
2008084860.tif 000011
【図１０】
2008084860.tif 000012
【図１１】
2008084860.tif 000013
【図１２】
2008084860.tif 000014